(57)【要約】  本発明開示の実施形態は、器具の流体フィルタ組立体用の流体だめライナを提供する。流体だめライナは、開放端と閉鎖端の間に本体を含み、本体は少なくとも１つの波形壁を含む。流体だめライナは、本体と閉鎖端によって形成されたカートリッジ受け入れキャビティを含む。フィルタカートリッジが流体だめに取付けられるとき、及び、フィルタカートリッジが流体だめから取り除かれるときに、カートリッジ受け入れキャビティはフィルタカートリッジを少なくとも部分的に覆う。流体だめライナは、フィルタカートリッジからの流体が流体だめに接触するのを実質的に防ぐ。【選択図】図２
2011500316.tif 000002
【特許請求の範囲】
【請求項１】
入口ライン及び出口ラインを備える器具及びフィルタカートリッジ用の流体フィルタ組立体であって、
前記器具から濾過されていない流体流を受けるために前記入口ラインに連結されるように構成され、且つ濾過された流体流を前記器具に提供するために前記出口ラインに連結されるように構成されたハウジングと、
前記ライナ受け入れキャビティを含み、前記ハウジングに取り外し可能に連結されるように構成された流体だめと、
ライナ受け入れキャビティ内に取り外し可能に配置されるように構成された流体だめライナと、を含み、
前記流体だめライナはカートリッジ受け入れキャビティ及び少なくとも１つの波形壁を含み、前記カートリッジ受け入れキャビティは、前記フィルタカートリッジが前記流体だめに取付けられるとき、及び、前記フィルタカートリッジが前記流体だめから取り除かれるときに、前記フィルタカートリッジを少なくとも部分的に覆うことを特徴とする、前記流体フィルタ組立体。
【請求項２】
前記流体だめライナは、前記フィルタカートリッジに直接に連結される、請求項１に記載の流体フィルタ組立体。
【請求項３】
前記流体だめライナの開放端は、環状ガスケットによって前記フィルタカートリッジに連結される、請求項１に記載の流体フィルタ組立体。
【請求項４】
前記少なくとも１つの波形壁は、互い違いになっている内側チャンネル及び外側チャンネルを画成する、請求項１に記載の流体フィルタ組立体。
【請求項５】
前記流体だめライナの開放端は、スター状の形状を画成する、請求項１に記載の流体フィルタ組立体。
【請求項６】
前記流体だめライナは、実質的に不浸透性材料で製造される、請求項１に記載の流体フィルタ組立体。
【請求項７】
前記流体だめライナは、変形可能な材料で製造される、請求項１に記載の流体フィルタ組立体。
【請求項８】
前記流体だめライナは、前記流体だめの前記ライナ受け入れキャビティとの流体接触を実質的に防止する材料で製造される、請求項１に記載の流体フィルタ組立体。
【請求項９】
前記流体だめライナは、前記フィルタカートリッジが前記カートリッジ受け入れキャビティ内に完全に嵌まり、且つ前記流体だめライナの一部分は前記フィルタカートリッジの上部分の上に延びるように構成される、請求項１に記載の流体フィルタ組立体。
【請求項１０】
器具の流体フィルタ組立体用の流体だめライナであって、流体フィルタ組立体は、フィルタカートリッジ、ハウジング及び流体だめを含み、前記ハウジングに連結されるように構成された開放端と、
前記開放端と反対側の閉鎖端と、
少なくとも１つの波形壁を含み、前記開放端と前記閉鎖端の間の本体と、
前記本体と前記閉鎖端によって形成されたカートリッジ受け入れキャビティとを含み、
前記カートリッジ受け入れキャビティは、前記フィルタカートリッジが前記流体だめに挿入され、さらに前記流体だめから取り除かれるときに、前記フィルタカートリッジを実質的に覆うように構成され、前記流体だめライナは、前記フィルタカートリッジからの流体が前記流体だめに接触するのを実質的に防ぐ、ことを特徴とする、前記流体だめライナ。
【請求項１１】
前記流体だめライナの少なくとも１つの波形壁は、互い違いになっている内側チャンネル及び外側チャンネルを画成する、請求項１０に記載の流体だめライナ。
【請求項１２】
前記流体だめライナの少なくとも１つの波形壁は、互い違いになっている出張り及び溝を画成する、請求項１０に記載の流体だめライナ。
【請求項１３】
前記流体だめライナは、前記フィルタカートリッジに直接連結される、請求項１０に記載の流体だめライナ。
【請求項１４】
前記流体だめライナの開放端は、環状ガスケットによって前記フィルタカートリッジに連結される、請求項１０に記載の流体だめライナ。
【請求項１５】
前記流体だめライナは、実質的に液体不浸透性材料で製造される、請求項１０に記載の流体だめライナ。
【請求項１６】
前記流体だめライナは、実質的に圧縮可能な材料で製造される、請求項１０に記載の流体だめライナ。
【請求項１７】
前記流体だめライナの少なくとも１つの波形壁は、前記流体だめに挿入されるとき、部分的に変形される、請求項１０に記載の流体だめライナ。
【発明の詳細な説明】
【技術分野】
【０００１】
本発明は、濾過器のフィルタ組立体に関する。
【背景技術】
【０００２】
多くの一般的な濾過器は、フィルタ組立体内に設けられた交換可能なフィルタ又はフィルタカートリッジの使用を含む。例えば、フィルタ組立体が器具に組み込まれる場合、フィルタ組立体及び/又は器具の形態が、しばしば、フィルタカートリッジを取り替えることが難しく及び/又は手に負えない仕事にさせる。フィルタカートリッジの取り外しは、しばしば、濾液或いはフィルタ媒体さえもこぼしてしまう。
【発明の概要】
【０００３】
本発明の実施形態は、器具内に流体フィルタ組立体用の流体だめライナを設ける。流体だめライナは、ハウジングに連結されるように構成された開放端と、開放端と反対側の閉鎖端とを含む。流体だめライナは、開放端と閉鎖端の間に本体を含み、本体は、少なくとも１つの波形壁を含む。流体だめライナは、本体及び閉鎖端によって形成されたカートリッジ受け入れキャビティを含む。カートリッジ受け入れキャビティは、フィルタカートリッジが流体だめに挿入され、さらに流体だめから取り除かれるときに、フィルタカートリッジを少なくとも部分的に覆うように構成される。流体だめライナは、フィルタカートリッジからの流体が流体だめに接触するのを実質的に防止する。
【０００４】
本発明の実施形態を詳細に説明する前に、本発明は、本明細書の以下の実施形態に開示され或いは添付図面に例示された構造の詳細及び部品の配置に限定されないことを理解すべきである。本発明は、他の実施形態で、さまざまなやり方で実施され、或いは、実行することができる。また、用いられた法律用語及び専門用語は、説明の目的のためであり、限定としてみるべきではないことが分かる。含む、備える、或いは有する及びこれらのバリエーションの単語の使用方法は、後に記載された特徴項目及びそれらと均等ならびに追加の項目を包含するものである。他に特定され又は制限されない限り、取付けられ、連結され、支持され及び結合されるという用語と、これらのバリエーションは、広く使用され、直接的にも間接的にも取付ること、連結すること、支持すること及び結合することを包含する。さらに、”連結される”及び”結合される”ことは、物理的な或いは機械的な連結或いは結合に制限されない。他に明らかにされる、或いは言及されない限り、内、外、上、下等或いはこれらの用語のバリエーションのような参照方向は、実施形態の第１図に示すような特定の実施形態の開示に記載された部分或いは向きに対するものである。
【０００５】
以下の議論は、当業者が本発明の実施形態を作り且つ使用することができるように示される。例示の実施形態に対する種々の修正が、当業者に容易に明らかであり、一般的な原理は、本発明の実施形態から逸脱することなく他の実施形態及び特許出願に適用できる。かくして、本発明の実施形態は、示された実施形態に制限されるものではないが、開示された原理及び特徴と首尾一貫したもっとも広い範囲が認められるべきである。以下の詳細な説明は、図を参照して読まれるべきであり、異なる図における同じ要素が同じ参照番号を有している。必ずしも比例していない図は、選択された実施形態を示し、発明の実施形態の範囲を制限するものではない。当業者は、ここに示された例が、多くの有用な変形例を有し及び開示の実施形態の範囲内に収まることを認識する。
【図面の簡単な説明】
【０００６】
【図１】本発明の一実施形態による流体だめライナを含む流体フィルタ組立体の分解図である。
【図２】図１の流体フィルタ組立体用のフィルタカートリッジの分解図である。
【図３】図２の線３−３に沿って取った図２のフィルタカートリッジの断面図である。
【図４】図１の流体フィルタ組立体に含まれる流体だめライナの上面図である。
【発明を実施するための形態】
【０００７】
図１は、一般的に冷蔵庫或いは同様の台所器具に用いられる、本発明の一実施形態によるフィルタ組立体１０を示す。或る実施形態では、フィルタ組立体１０は、全体に、フィルタハウジング１２、フィルタカートリッジ１４、Ｏーリングガスケット１６、流体だめライナ１８及びフィルタカップすなわち流体だめ２０を含む。図１に示すフィルタ組立体１０は、本発明の実施形態の種々の特徴を示す目的のためだけであり、他の形態又は部品を有するフィルタ組立体のような他のフィルタ組立体が、本発明の開示によって包含される実施形態からなる特徴を含んでもよい。その上、フィルタ組立体１０のような本発明によるフィルタ組立体は、一般的に冷蔵庫或いは台所器具を含む器具以外の用途に利用することができる。
【０００８】
フィルタハウジング１２は、取付部分２４と受け部分２６の間に画成された実質的に円筒形本体２２を含む。図１に特に示されていないが、取付部分２４は、意図する位置にフィルタハウジング１２の実質的に確実な、非恒久的な取付を容易にするようになっているか或いは構成される。例えば、取付部分２４は、フィルタハウジング１２を冷蔵庫或いは台所器具に連結するためのねじ部分、フランジ又は他の適当な特徴部を含んでもよい。他の実施形態では、フィルタハウジング１２は、意図した位置にフィルタハウジング１２の位置決めを容易にする取付部分２４と関連するか、そうでないものと関連するかのいずれかの他の機構を含んでもよい。フィルタハウジング１２は、また、フィルタ組立体１０を取り付けることになっている冷蔵庫又は他の装置と一体であってもよい。フィルタハウジング１２は、また、カップ２０と合うように構成され、これは、受け部分２６の外面と流体だめ２０の内面の対応するねじのような適当な取付機構によって達成される。
【０００９】
フィルタハウジング１２の受け部分２６は、フィルタ組立体１０の他の部品を受け入れるように構成された内部空間３０を少なくとも部分的に画成する開口２８を含む。例えば、フィルタハウジング１２によって受け入れられる部品は、フィルタカートリッジ１４、リングガスケット１６、流体だめライナ１８及び流体だめ２０を含む。また、他の部品は、フィルタ組立体１０内に含まれてもフィルタハウジング１２によって受け入れられてもよい。或る実施形態では、フィルタハウジング１２は、器具からの流体入口ライン及び流体出口ラインと連結するように構成され、開口２８及び内部空間３０はフィルタ組立体１０の部品とそれぞれの流体入口ライン及び流体出口ラインの間の流体連通に備える。
【００１０】
図２及び３に示すように、フィルタ組立体１０のフィルタカートリッジ１４は、第一フィルタキャップ３２、フィルタ媒体３４及び第２フィルタキャップ３６を含む。フィルタ媒体３４は、中心の長手方向軸線３８と軸線３８と整合したほぼ円筒形の導管４０とを有するほぼ円筒形である。本発明の開示は、いかなる特定のフィルタ媒体３４の形状にも限定されず、フィルタ媒体３４は、この実施形態に示す以外の形状であってもよい。加えて、他の実施形態は、軸線方向に整合しないフィルタ媒体及び導管を含んでもよい。
【００１１】
第１フィルタキャップ３２及び第２フィルタキャップ３６は、それぞれ、軸線３８と軸線が整合し、円筒形導管４０内に挿入されるように寸法合わせされた導管延長部４２を含む。さらに、第２フィルタキャップ３６は、フィルタカートリッジ１４から第２フィルタキャップ３６の導管延長部４２と実質的に反対方向に軸線３８に沿って延びる首部分４４を含む。第２フィルタキャップ３６の首部分４４と導管延長部４２は、共動して、フィルタ媒体３４の導管４０及び第１フィルタキャップ３２の導管延長部４２との流体連通に備える通路４６を形成する。
【００１２】
第２フィルタキャップ３６の首部分４４は、外面４８と直径の異なる通路４６の部分を形成する、段付き内面５０とを含む。外面４８は、その中にＯーリングガスケット５４を着座させるように構成された環状凹み溝５２を含む。図２に示すように、第１フィルタキャップ３２及び第２フィルタキャップ３６は、第１フィルタキャップ３２及び第２フィルタキャップ３６の軸線３８に関してほぼ同心配置に形成された複数の孔５６を含んでもよい。
【００１３】
ある実施形態では、フィルタ組立体１０は、フィルタカートリッジ１４が受け部２６内に挿入されることによって組み立てられる。流体入口ライン（図示せず）とフィルタハウジング１２の間の接続部を通って内部空間３０に供給される流体は、孔５６を通ってフィルタ媒体３４に導入される。同様に、ある実施形態では、首部分４４は、内部空間３０内での流体連通のために流体出口ライン（図示せず）と連結されてもよい。そのような実施形態では、濾過された流体は、フィルタ媒体３４を通過し、導管４０及び首部分４４の通路４６を通ってフィルタ組立体１０から流出することができる。しかしながら、他の実施形態は、別の流体経路を含んでもよい。
【００１４】
図１及び図４に示すように、ある実施形態の流体だめライナ１８は、開放端５８と閉鎖端６０を含む。ある実施形態では、流体だめライナ１８の閉鎖端６０は、フィルタキャップ２０の全体形状とほぼ一致するが、流体だめライナ１８は、いかなる特定の形状と一致することに限定されない。他の実施形態では、流体だめライナ１８は、ここに示すごとき以外の形状に形成されてもよい。ある実施形態では、流体だめライナ１８は、波形材料で形成され或いは波形材料に形成される。図４に示すように、流体だめライナ１８は、一般的に、開放端５８で特に見られるように、内部分６２及び外部分を画成する、スター状パターン形状を画成する。流体だめライナ１８の波形形態は、互い違いの内側チャンネル及び外側チャンネル（例えば、それぞれ、内部分６２及び外部分６４）及び/又は流体だめライナ１８の壁の互い違いの溝及び出張りを画成する。互い違いの内側チャンネル及び外側チャンネル、或いは溝及び出張りは、互いにほぼ平行である。流体だめライナ１８は、非波形構造、ひだ付構造又はフィルムで形成され、或いは非波形構造、ひだ付構造又はフィルムに形成されてもよい。
【００１５】
流体だめライナ１８が組み立てられたフィルタ組立体１０内に取付けられるとき、流体だめライナ１８の内部分６２は、一般的に、フィルタカートリッジ１４に隣接する、波形材料の折りたたみ部分に一致する。流体だめライナ１８が組み立てられたフィルタ組立体１０内に取付けられているとき、流体だめライナ１８の外側部６４は、一般的に、流体だめ２０の内壁（図示せず）に隣接する波形材料の折りたたみ部分に一致する。
【００１６】
ある実施形態では、流体だめライナ１８は、流体だめライナ１８とフィルタカートリッジ１４とを連結することによってフィルタ組立体１０内に取付けられる。流体だめライナ１８は、フィルタカートリッジ１４の一部又は全部の周りに保護シースを形成する。流体だめライナ１８は、第２フィルタキャップ３６に当接するように配置されてもよい。ある実施形態では、リングガスケット１６は、流体だめライナ１８に取付けられてもよく、さもなければ共同して流体だめライナ１８の開放端５８をフィルタカートリッジ１４の上に固定してもよい。ある実施形態では、流体だめライナ１８は、リングガスケット１６の上に折り重ねられ、或いはリングガスケット１６を実質的に取り囲むように操作することができる余分の又は弛み波形材料を残すように、フィルタカートリッジ１４よりも実質的に長い長手方向長さのものであってもよい。かくして、流体だめライナ１８及び/又は開放端５８と関連した弛み材料の部分は、流体流量に影響を及ぼすこと、さらなる濾過面を提供すること、或いはフィルタ組立体１０を通る流体流れのシール特性及び完全性を高めるようにフィルタ組立体１０と、特にフィルタカートリッジ１４及び流体だめ２０内に追加の機能を働かせることができる。
【００１７】
他の実施形態では、流体だめライナ１８は、フィルタハウジング１２の内部分（図示せず）に取付けられ、フィルタハウジングの内部分は、フィルタカートリッジ１４を支持し、且つ、流体入口ライン及び出口ラインとフィルタカートリッジ１４との連結に備えるようにさらに構成され且つ操作可能である。リングガスケット１６は、とりわけ、流体入口ライン及び流体出口ラインから流体だめ２０に通る流体をシールするために流体だめライナ１８の開放端５８に近接して取り付けられる。
【００１８】
さらに他の実施形態では、流体だめライナ１８は、流体だめライナ１８がフィルタ組立体１０内に取付けられるとき、流体だめライナ１８の内部分６２が、しまり嵌めをなし、さもなければ、フィルタカートリッジ１４にぴったりと接するように寸法決めされ且つ構成される。同様に、流体だめライナ１８は、流体だめライナ１８がフィルタ組立体１０内に取付けられるとき、外部分６４が、一般的に、しまり嵌めをなし、或いは流体だめ２０の内壁（図示せず）とぴったり合致するように寸法決めされ且つ構成される。
【００１９】
流体だめライナ１８は、柔軟な材料又は圧縮性材料で形成されてもよく、或いは、特にフィルタ組立体１０内に取付けられるとき、わずかに又は部分的に変形可能であってもよい。流体だめライナ１８は、例えば、紙、ボール紙又は、ポリエチレン又はポリプロピレン及びその組み合わせのようなプラスチック、のような波形又は非波形、多孔性又は非多孔性である適当な材料又は材料の組合せで構成することができる。ある実施形態では、流体だめライナ１８は、部分的に又は全体的に流体不浸透性であるように製造されてもよい。ある実施形態では、流体だめライナ１８は、使い捨て材料で構成されてもよい。
【００２０】
流体だめライナ１８は、フィルタカートリッジ１４がフィルタ組立体１０から取り除かれているとき、流体及び/又はフィルタ媒体がフィルタカートリッジ１４からこぼれるのを防ぐのを助けるために用いることができる。流体だめライナ１８及びフィルタカートリッジ１４は、フィルタ組立体１０から一緒に取り除くことができ、そのため、流体だめライナ１８は、フィルタカートリッジ１４からこぼれるいかなる流体及び/又はフィルタ媒体を収容することができる。かくして、フィルタカートリッジ１４を交換するために、フィルタ組立体１０を開放するとき、流体だめライナ１８及びフィルタカートリッジ１４を処分することができ、そこで、フィルタ組立体１０には新しいフィルタカートリッジ１４及び流体だめライナ１８を設けることができる。
【００２１】
本発明開示は、特定の実施形態及び例示と関連して上述されるが、その開示は必ずしもこれに限定されず、実施形態、例示及び使用方法から沢山の他の実施形態、例示、使用方法、修正及び、発展が、ここに添付された特許請求の範囲によって包含されるものであることが、当業者によって認識される。本発明に引用された各特許及び刊行物の開示全体を、そのような各特許又は刊行物がまるでここに個々に援用されたかのように、援用する。
【００２２】
本発明開示の種々の特徴及び利点は、特許請求の範囲に記載される。
【図１】
2011500316.tif 000003
【図２】
2011500316.tif 000004
【図３】
2011500316.tif 000005
【図４】
2011500316.tif 000006
【国際調査報告】
2011500316.tif 000007